(57)【要約】      （修正有）【課題】押し込み−固定方式を利用して、ねじの使用時における固定プロセスを単純化し、その結果、固定プロセスにおける作業効率を効果的に向上させることができる押し込みタイプねじを提供する。【解決手段】押し込みタイプねじは、ねじ頭部と、軸部１２と、オクト−ピース部１３と、ドリルヘッド部１４とを含む。ねじ頭部には、締結スロットが設けられ、当該ねじ頭部は、軸部１２の頂部に配置されている。オクト−ピース部１３は、軸部１２を囲むように配置される。オクト−ピース部１３を構成するすべてのシングルピース部は、断面において、連続的に形成された第１表面１３１および第２表面１３２を含む。オクト−ピース部１３の複数のシングルピース部は、軸部１２の長手方向において、互いに平行に配置された上述の第１表面１３１をそれぞれ有する。ドリルヘッド部１４は、軸部１２の底部に配置されている。【選択図】図３Ｃ
2020070923.tif 000002
【特許請求の範囲】
【請求項１】
締結スロットが設けられたねじ頭部と、 
軸部であって、当該軸部の頂部に前記ねじ頭部が配置された前記軸部と、
前記軸部を囲むように配置されたマルチピース部であって、前記マルチピース部を構成するすべてのシングルピース部は、断面において、連続的に形成された第１表面および第２表面を含み、ここで、前記マルチピース部の複数の前記シングルピース部は、前記軸部の長手方向において、互いに平行に配置された前記第１表面をそれぞれ有する、前記マルチピース部と、
前記軸部の底部に配置されたドリルヘッド部と
を具備する
押し込みタイプねじ。
【請求項２】
前記マルチピース部を構成するすべての前記シングルピース部には、前記軸部を囲み、かつ、前記第１表面にて開口する凹部が設けられている
請求項１に記載の押し込みタイプねじ。
【請求項３】
前記マルチピース部のうちの各２つのシングルピース部は、前記軸部の長手方向に沿う方向において同じ高さに配置され、かつ、前記軸部の周りの２つの半円として対称的に形成される
請求項１に記載の押し込みタイプねじ。
【請求項４】
前記軸部の長手方向において、前記マルチピース部を構成する前記シングルピース部の前記第２表面は、前記マルチピース部を構成する前記シングルピース部の前記第１表面と、３０度から５０度までの間の挟角を形成する
請求項１に記載の押し込みタイプねじ。
【請求項５】
前記軸部の長手方向において、前記マルチピース部の隣接するシングルピース部は、連続的に形成された構造である
請求項１に記載の押し込みタイプねじ。
【請求項６】
前記ねじ頭部と、前記軸部と、前記マルチピース部と、前記ドリルヘッド部とは、一体構造である
請求項１に記載の押し込みタイプねじ。
【請求項７】
前記ねじ頭部と、前記軸部と、前記マルチピース部と、前記ドリルヘッド部とは、樹脂材料で形成されている
請求項１に記載の押し込みタイプねじ。
【請求項８】
前記マルチピース部は、ナイロンで形成されている
請求項１に記載の押し込みタイプねじ。
【請求項９】
前記締結スロットは、十字状スロット、「一」字状スロット、六角形スロット、または、星状スロットのいずれかである
請求項１に記載の押し込みタイプねじ。
【発明の詳細な説明】
【技術分野】
【０００１】
本発明は、押し込みタイプねじに関し、特に、ねじの軸部にマルチピース部を形成することによる構造的デザインに関し、押し込みタイプの固定方式で対象物にねじを素早く固定する目的を達成する。
【背景技術】
【０００２】
異なる対象物を接合するための固定部品として、工業デザインまたはインテリアデザインにおいて、様々なファスナーが使用されている。すなわち、二つの重なった対象物に孔が穿設され、ファスナーが、当該対象物を一緒に固定するために使用される。ファスナーは、リベット、釘、ねじ等を含んでいてもよく、これらすべては、機械的固定方式に関連する。
【０００３】
リベットは、破壊的な固定手段に関連し、対象物が固定された後、対象物からリベットを取り外すためには、リベットまたは対象物を破壊する必要があることに留意されたい。釘およびネジは非破壊な固定手段に関連するという事実にもかかわらず、対象物に釘またはねじを固定するために、または、対象物から釘またはねじを取り外すために、追加的なツールが必要である。
【０００４】
釘は、尖ったポイントが形成された構造に関連し、対象物に釘を挿入するためにユーザが外力を印加して、対象物同士を固定するための摩擦力を生み出す。これと比較すると、ねじは、対象物同士を固定するために、対象物と係合する雄ねじで形成された構造を利用する。このようなねじ固定効果は、釘の固定効果よりも、はるかに強固なものである。それにもかかわらず、対象物固定作業を実行するためのねじの使用において、ねじを締めるため、または、ねじを緩めるために、スクリュードライバーが必要であり、その結果、時間と労力の消費が必要とされる。
【０００５】
上記を考慮して、積極的な技術革新の精神で、「押し込みタイプねじ」が概念化され、構造的なデザインにおいて、ねじの軸部上にマルチピース部が形成され、スクリュードライバーを用いることなく、対象物の孔にねじを押し込んで固定することを可能にし、押し込みタイプねじがねじって取り外される時のみにスクリュードライバーが必要とされる。このような単純化されたねじの取り付け工程を通して、作業効率が効果的に高められ得る。こうして、持続的な研究と実験により、「押し込みタイプねじ」が、最終的に完成され得る。
【発明の概要】
【発明が解決しようとする課題】
【０００６】
上述の課題を解決するために、本発明の目的は、ねじの軸部上に形成されたマルチピース部を備えた構造的なデザインによって、押し込みタイプねじを提供することであり、対象物に押し込まれて固定されるねじを可能にし、ねじの取り付け工程が単純化され、作業効率が効果的に高められ得る。
【課題を解決するための手段】
【０００７】
上記課題を解決するために、本発明における押し込みタイプねじは、ねじ頭部と、軸部と、マルチピース部と、ドリルヘッド部とを含む。前記ねじ頭部には、締結スロットが設けられ、当該ねじ頭部は、前記軸部の頂部に配置されている。前記マルチピース部は、前記軸部を囲むように配置される。前記マルチピース部を構成するすべてのシングルピース部は、断面において、連続的に形成された第１表面および第２表面を含む。前記マルチピース部の複数の前記シングルピース部は、前記軸部の長手方向において、互いに平行に配置された上述の第１表面をそれぞれ有する。前記ドリルヘッド部は、前記軸部の底部に配置されている。
【０００８】
本発明によれば、前記マルチピース部のうちの各２つのシングルピース部は、前記軸部の長手方向に沿う方向において同じ高さに配置され、かつ、前記軸部の周りの２つの半円として対称的に形成される。
【０００９】
更に本発明によれば、前記マルチピース部のうちの複数のシングルピース部は、前記軸部の長手方向に沿う方向において同じ高さに配置され、かつ、前記軸部の周りの複数の等分割された部分円、例えば、３個の１／３円、４個の１／４円として形成される。
【００１０】
更に本発明によれば、前記軸部の長手方向において、前記マルチピース部を構成する前記シングルピース部の前記第２表面は、前記マルチピース部を構成する前記シングルピース部の前記第１表面と、３０度から５０度までの間の挟角を形成する。
【００１１】
本発明によれば、前記軸部の長手方向において、前記マルチピース部の隣接するシングルピース部は、連続的に形成された構造に関する。
【００１２】
更に本発明によれば、前記マルチピース部を構成する複数のシングルピース部には、前記軸部を囲み、かつ、前記第１表面にて開口する凹部が、それぞれ設けられている。
【００１３】
更に本発明によれば、前記ねじ頭部と、前記軸部と、前記マルチピース部と、前記ドリルヘッド部とは、一体構造に関する。
【００１４】
本発明によれば、前記ねじ頭部と、前記軸部と、前記マルチピース部と、前記ドリルヘッド部とは、樹脂材料で形成されている。
【００１５】
更に本発明によれば、前記マルチピース部は、ナイロンで形成されている。
【００１６】
更に本発明によれば、前記締結スロットは、十字状スロット、「一」字状スロット、六角形スロット、または、星状スロットのいずれかであってもよい。
【００１７】
上記の簡単な説明および以下の詳細な説明は、例示を目的とし、特許請求の範囲をさらに説明するためのものであり、本発明の他の目的、利点および新規な特徴は、添付の図面を併せて考慮して以下の説明から更に明らかになるであろう。
【図面の簡単な説明】
【００１８】
【図１】図１は、本発明における押し込みタイプねじを示す斜視図である。
【図２】図２は、本発明における押し込みタイプねじを示す他の斜視図である。
【図３Ａ】図３Ａは、本発明における押し込みタイプねじを示す側面図である。
【図３Ｂ】図３Ｂは、本発明における押し込みタイプねじを示す他の側面図である。
【図３Ｃ】図３Ｃは、図３ＢのＡ−Ａ矢視断面図である。
【図４】図４は、対象物と係合することとなる本発明における押し込みタイプねじを示す断面図である。
【図５】図５は、対象物と係合した本発明における押し込みタイプねじを示す断面図である。
【発明を実施するための形態】
【００１９】
本発明における押し込みタイプねじを示す斜視図である図１、押し込みタイプねじを示す他の斜視図である図２、押し込みタイプねじを示す側面図である図３Ａ、押し込みタイプねじを示す他の側面図である図３Ｂ、および、図３ＢのＡ−Ａ矢視断面図である図３Ｃが参照される。押し込みタイプねじ１は、ねじ頭部１１と、軸部１２と、オクト−ピース部１３と、ドリルヘッド部１４とを備える。
【００２０】
本発明によれば、ねじ頭部１１には締結スロット１１１が形成され、当該ねじ頭部は、軸部１２の頂部に配置される。オクト−ピース部１３は、軸部１２を囲むように配置され、オクト−ピース部を構成するすべてのシングルピース部は、第１表面１３１、第２表面１３２、および、凹部１３３を含む。オクト−ピース部１３の複数のシングルピース部は、軸部１２の長手方向において、互いに平行に配置された第１表面１３１をそれぞれ有する。ドリルヘッド部１４は、軸部１２の底部に配置される。
【００２１】
図１乃至図３Ｃに示されるように、オクト−ピース部１３のうちの各２つのシングルピース部は、軸部１２の長手方向に沿う方向において同じ高さに配置され、かつ、対称的に、各々が軸部１２の周りの２つの半円として形成される。オクト−ピース部１３を構成する各シングルピース部は、断面において、連続的に形成された第１表面１３１および第２表面１３２を含み、一方、凹部１３３は、軸部１２を囲み、かつ、第１表面１３１にて開口し、凹部１３３は、オクト−ピース部１３の各シングルピース部を、軸部１２の周りを環状に開通するように開口させる。
【００２２】
更に、本発明によれば、軸部１２の長手方向において、オクト−ピース部１３の隣接するシングルピース部は、連続的に形成された構造に関し、ここで、オクト−ピース部１３を構成するシングルピース部の第２表面１３２は、オクト−ピース部を構成するシングルピース部の第１表面１３１と、挟角Ａを形成し、当該挟角は、３０度から５０度の間の角度であり、好ましくは、４０度である。
【００２３】
更に、本発明によれば、ねじ頭部１１、軸部１２、オクト−ピース部１３、および、ドリルヘッド部１４は一体構造に関し、ねじ頭部、軸部、オクト−ピース部、および、ドリルヘッド部は樹脂材料で形成され、ここで、オクト−ピース部１３は、好ましくは、ナイロンで形成される。
【００２４】
図３Ｃに示されるように、オクト−ピース部１３のシングルピース部の第２表面１３２は、傾斜面に形成され、押し込みタイプねじ１を、対象物の孔に容易に押し込むことができる。凹部１３３の構造的なデザインに適合するように、第１表面１３１から第２表面１３２に回り込む端部は、曲げられ得るし、変形され得る。オクト−ピース部１３が力を受けることを想定して、凹部１３３は、オクト−ピース部１３が変形する十分なスペースを提供することができ、当該凹部は、押し込みタイプねじ１が、対象物の孔の寸法に、より弾力的に応答することを可能にする。こうして、押し込みタイプねじ１は、オクト−ピース部１３の変形を介して、固定作業を実行することができる。
【００２５】
本発明によれば、オクト−ピース部１３のうちの各２つのシングルピース部は、軸部１２の長手方向に沿う方向において同じ高さに配置され、かつ、対称的に、各々が軸部１２の周りの２つの半円として形成されるという事実が上述されたが、軸部１２のまわりの複数の１／３円または複数の１／４円の構造も可能である。また、上述のとおり、オクト−ピース部１３を構成するシングルピース部の第２表面１３２は、オクト−ピース部１３を構成する隣のシングルピース部の第１表面１３１と、挟角Ａを形成する。しかし、挟角Ａは、対象物の孔の寸法および当該孔のねじ山のピッチに応じて調整することができる。また、オクト−ピース部１３を構成するシングルピース部の数は８個に限定されるものではなく、むしろ、シングルピース部の数、および、挟角Ａの寸法は、実際の要請に準拠してもよい。
【００２６】
ここで、図４および図５が参照される。図４は、対象物と係合することとなる本発明における押し込みタイプねじを示す断面図である。また、図５は、対象物と係合した押し込みタイプねじを示す断面図である。
【００２７】
図４に示されるように、対象物２には、内側にネジ部２１１が形成された取付孔２１が設けられている。ユーザが押し込みタイプねじ１を対象物２に固定しようとする場合、彼または彼女は、ドリルヘッド部１４を取付孔２１と整列させ、ねじ頭部１１に向かって下向きの力を加えるだけでよく、こうして、押し込みタイプねじ１を取付孔２１に固定することができる。
【００２８】
更に、本発明によれば、下向きの力を加え、押し込みタイプねじ１を取付孔２１に押し込むに際して、オクト−ピース部１３の構造的なデザインと、凹部１３３の構造的なデザインが利用され、その結果、ネジ部２１１の構造に応答して、オクト−ピース部１３を構成するすべてのシングルピース部が圧迫され、曲げられ、変形され、かつ、オクト−ピース部１３のすべてのシングルピース部は、ネジ部２１１内でネジ部２１１と円滑に係合することができる。
【００２９】
更に、本発明によれば、ねじ頭部１１、軸部１２、オクト−ピース部１３、および、ドリルヘッド部１４は、それぞれ、樹脂材料で形成された構造に関する。このことは、押し込みタイプねじ１が、樹脂または木で形成された対象物２に簡単に係合することを容易にするだけでなく、オクト−ピース部１３とネジ部２１１とが係合する場合に、オクト−ピース部１３の樹脂材料は、その構造の曲げおよび変形によって、弾性復元力を生成することができる。この弾性復元力は、オクト−ピース部１３のすべてのシングルピース部がネジ部２１１と係合している場所で発生し、押し込みタイプねじ１の固定力を強化する。最後に、押し込みタイプねじ１が取り外される場合には、スクリュードライバー（図示されず）が使用されて、締結スロット１１１内に挿入され、押し込みタイプねじ１がねじられて取り外される。
【００３０】
なお、本発明では、取付孔２１に、押し込みタイプねじ１と係合するためのネジ部２１１が設けられことに限定されない。換言すれば、ネジ部がない取付孔、あるいは、対象物を貫通する孔が、押し込みタイプねじ１に適用されてもよい。すなわち、対象物に形成された任意の孔を、押し込みタイプねじ１を使用することによる固定作業に対して、使用することができる。また、締結スロット１１１は、十字状スロット、「一」字状スロット、六角形スロット、または、星状スロットを備えた構造に限定されず、主として、実際の要請が満たされればよい。
【００３１】
上述のとおり、押し込みタイプねじ１は、固定作業を実行するためにオクト−ピース部１３および凹部１３３を利用する。オクト−ピース部１３が樹脂材料によって形成されるという特徴により、押し込みタイプねじ１は、対象物の孔の寸法に柔軟に適合することができ、その結果、生成される弾性復元力が、固定効果を強化するのを助けることができる。このような押し込みタイプの固定方式は、複数の対象物を固定するためのねじの使用に際して、固定プロセスを単純化し、その間に、作業効率を効果的に向上させることができる。
【００３２】
本発明は、その好ましい実施形態に関連して説明されたが、多くの他の可能な変形および変更が以下の特許請求される本発明の範囲から逸脱することなくなされ得ることが理解されるべきである。
【図１】
2020070923.tif 000003
【図２】
2020070923.tif 000004
【図３Ａ】
2020070923.tif 000005
【図３Ｂ】
2020070923.tif 000006
【図３Ｃ】
2020070923.tif 000007
【図４】
2020070923.tif 000008
【図５】
2020070923.tif 000009